(57)【要約】  【課題】  医用画像を表示している装置が薬事法の承認を受けて製造された装置でない場合に、オペレータの注意を喚起する。  【解決手段】  医用画像表示方法は、医用画像データに基づいて医用画像を表示する端末装置において用いられる医用画像表示方法であって、オペレータが端末装置を操作することにより医用画像の閲覧を要求した際に、当該端末装置に関する情報を取得するステップ（ａ）と、ステップ（ａ）において取得された属性情報に基づいて、当該端末装置が薬事法の承認を受けて製造された装置であるか否かの判定を行うステップ（ｂ）と、ステップ（ｂ）において当該端末装置が薬事法の承認を受けて製造された装置でないと判定された場合に、オペレータの注意を喚起するための情報を医用画像と共に当該端末装置の表示部に表示するステップ（ｃ）とを具備する。【選択図】  図５
2006320444.tif 000002
【特許請求の範囲】
【請求項１】
医用画像データに基づいて医用画像を表示する端末装置において用いられる医用画像表示方法であって、
オペレータが端末装置を操作することにより医用画像の閲覧を要求した際に、当該端末装置に関する情報を取得するステップ（ａ）と、
ステップ（ａ）において取得された属性情報に基づいて、当該端末装置が薬事法の承認を受けて製造された装置であるか否かの判定を行うステップ（ｂ）と、
ステップ（ｂ）において当該端末装置が薬事法の承認を受けて製造された装置でないと判定された場合に、オペレータの注意を喚起するための情報を医用画像と共に当該端末装置の表示部に表示するステップ（ｃ）と、
を具備する医用画像表示方法。
【請求項２】
ステップ（ｃ）が、ステップ（ｂ）において当該端末装置が薬事法の承認を受けて製造された装置でないと判定された場合に、オペレータの注意を喚起するための文字情報を医用画像に対してオーバレイ表示させるための処理を行うことを含む、請求項１記載の医用画像表示方法。
【請求項３】
医用画像データを蓄積して端末装置からの要求に応じて医用画像データを配信する医用画像サーバにおいて用いられる医用画像配信方法であって、
端末装置から医用画像データの配信を要求された際に、予め画像サーバに登録されている複数の端末装置に関する情報の中から当該端末装置に関する情報を検索するステップ（ａ）と、
ステップ（ａ）において検索された属性情報に基づいて、当該端末装置が薬事法の承認を受けて製造された装置であるか否かの判定を行うステップ（ｂ）と、
ステップ（ｂ）における判定結果に従って、当該端末装置から要求された医用画像データの内容を変更して配信するステップ（ｃ）と、
を具備する医用画像配信方法。
【請求項４】
ステップ（ｃ）が、ステップ（ｂ）において当該端末装置が薬事法の承認を受けて製造された装置でないと判定された場合に、オペレータの注意を喚起するための情報を医用画像に挿入した医用画像データを生成することを含む、請求項３記載の医用画像配信方法。
【請求項５】
医用画像データに基づいて医用画像を表示する端末装置において用いられる医用画像表示プログラムであって、
オペレータが端末装置を操作することにより医用画像の閲覧を要求した際に、当該端末装置に関する情報を取得する手順（ａ）と、
手順（ａ）において取得された属性情報に基づいて、当該端末装置が薬事法の承認を受けて製造された装置であるか否かの判定を行う手順（ｂ）と、
手順（ｂ）において当該端末装置が薬事法の承認を受けて製造された装置でないと判定された場合に、オペレータの注意を喚起するための情報を医用画像と共に当該端末装置の表示部に表示する手順（ｃ）と、
をＣＰＵに実行させる医用画像表示プログラム。
【請求項６】
手順（ｃ）が、手順（ｂ）において当該端末装置が薬事法の承認を受けて製造された装置でないと判定された場合に、その旨を表す文字情報を医用画像に対してオーバレイ表示させるための処理を行うことを含む、請求項５記載の医用画像表示プログラム。
【請求項７】
医用画像データを蓄積して端末装置からの要求に応じて医用画像データを配信する医用画像サーバにおいて用いられる医用画像配信プログラムであって、
端末装置から医用画像データの配信を要求された際に、予め画像サーバに登録されている複数の端末装置に関する情報の中から当該端末装置に関する情報を検索する手順（ａ）と、
手順（ａ）において検索された属性情報に基づいて、当該端末装置が薬事法の承認を受けて製造された装置であるか否かの判定を行う手順（ｂ）と、
手順（ｂ）における判定結果に従って、当該端末装置から要求された医用画像データの内容を変更して配信する手順（ｃ）と、
をＣＰＵに実行させる医用画像配信プログラム。
【請求項８】
手順（ｃ）が、手順（ｂ）において当該端末装置が薬事法の承認を受けて製造された装置でないと判定された場合に、オペレータの注意を喚起するための情報を医用画像に挿入した医用画像データを生成することを含む、請求項７記載の医用画像配信プログラム。
【請求項９】
医用画像データを蓄積して端末装置からの要求に応じて医用画像データを配信する医用画像サーバであって、
複数の端末装置に関する情報を登録する登録手段と、
端末装置から医用画像データの配信を要求された際に、前記登録手段によって登録されている複数の端末装置に関する情報の中から当該端末装置に関する情報を検索し、検索された属性情報に基づいて、当該端末装置が薬事法の承認を受けて製造された装置であるか否かの判定を行う検索手段と、
前記検索手段による判定結果に従って、当該端末装置から要求された医用画像データの内容を変更して配信する画像配信手段と、
を具備する医用画像サーバ。
【請求項１０】
前記画像配信手段が、前記検索手段によって当該端末装置が薬事法の承認を受けて製造された装置でないと判定された場合に、オペレータの注意を喚起するための情報を医用画像に挿入した医用画像データを生成することを含む、請求項９記載の医用画像サーバ。
【発明の詳細な説明】
【技術分野】
【０００１】
本発明は、ディジタル化された医用画像を管理する医用画像管理システムを利用して医用画像を表示することが可能な各種の端末装置において使用される医用画像表示方法及び医用画像表示プログラムに関する。さらに、本発明は、医用画像データを蓄積して各種の端末装置に配信する医用画像サーバ、並びに、医用画像サーバにおいて使用される医用画像配信方法及び医用画像配信プログラムに関する。
【背景技術】
【０００２】
従来より、放射線（Ｘ線、α線、β線、γ線、電子線、紫外線等）を用いた撮影方法は様々な分野で利用されており、特に医療分野においては、診断のための最も重要な手段の１つとなっている。最初のＸ線写真が実現されてから、Ｘ線写真法は数々の改良を重ねられ、現在では蛍光スクリーンとＸ線フィルムを組み合わせた方法が主流となっている。一方、近年においては、医療用画像診断に用いられる装置として、Ｘ線ＣＴや超音波、ＭＲＩ等の様々なディジタル化された装置が実用化されており、病院内での診断情報処理システム等の構築が進められようとしている。Ｘ線画像についても、ディジタル化するための多くの研究がなされてきたが、輝尽性蛍光体を用いた放射線撮影方法が確立され、従来のＸ線写真法に置き換わるものとして注目されている。
【０００３】
輝尽性蛍光体（蓄積性蛍光体）とは、放射線を照射するとその放射線エネルギの一部が蓄積され、その後、可視光等の励起光を照射すると、蓄積されたエネルギに応じて輝尽発光する物質であり、その存在は従来から知られていた。これを用いた放射線撮影方法は、輝尽性蛍光体を塗布した記録シートに人体等の被写体の放射線画像を撮影記録し、この記録シートをレーザ光等の励起光で走査すると輝尽発光光が生じるので、この光を光電的に読み取ることにより画像データを得るものである。この画像データを適切に処理した後、ＣＲＴ等のディスプレイに出力したり、レーザプリンタ等によりフィルムに印刷して、放射線画像を可視画像として表示することができる。
【０００４】
このような放射線撮影方法は、撮影感度や画質の面で、従来のＸ線写真法に匹敵する性能を持っている。例えば、従来のＸ線写真法と比較して、露光域が極めて広く、また、露光量に対する輝尽発光光の応答が露光域全域に渡ってほぼ比例している。このため、被写体をどのような放射線量で撮影しても、画像の存在する発光域をとらえ、過不足なく正規化してディジタル信号化することができる。また、このようにして得た信号を適切な画像処理方法と組み合わせることにより、様々な撮影条件の下でも定常的に良質な画像を提供することが可能である。さらに、直接、ディジタル化された画像情報を得ているので、画像の劣化を招くことなく、大量のデータを長期保存することが可能になるばかりか、医療診断情報システムへの発展等も可能になる。
【０００５】
ところで、病院等の医療機関においては各種の端末装置がＬＡＮを介して画像サーバに接続されており、ディジタル化された画像を管理するＰＡＣＳ（Pictures Archive and Communication System）等の画像管理システムを利用することにより、医用画像を表示するための高解像度のモニタを有する医用画像表示装置以外の端末装置、例えば、比較的低解像度のモニタを有する電子カルテ用の端末装置においても、医用画像を閲覧することができる。
【０００６】
しかしながら、薬事法の改正により、平成１７年４月から施行される薬事法においては、高度管理医療機器の販売業の許可を受けた者でなければ、業として、高度管理医療機器を販売・授与し、又は販売・授与の目的で陳列してはならないことになった。医用画像を表示するための医用画像表示装置は、高度管理医療機器に該当するので、所定の基準を満たした者が承認を受けて製造及び販売することになるが、電子カルテ用の端末装置を製造及び販売するためには、このような承認は不要である。従って、医用画像の閲覧において比較的低解像度のモニタを有する電子カルテ用の端末装置等を無造作に用いることは、薬事法の観点からも問題があるし、診断のために十分な画質が得られないので、医師が患者を診断する際に異常陰影を見逃すおそれがある。
【０００７】
関連する技術として、下記の特許文献１には、現在診断中の医用画像情報を含む診断情報と医用画像情報を含む参照情報とを同時にモニタに表示することができる医用画像診断装置及びそれに用いる情報表示方法が開示されている。この情報表示方法においては、医用画像情報及びその関連情報からなる参照情報を登録した医用画像情報データベースを予め記録手段に記憶し、参照情報を少なくとも１つ含む複数の情報を表示手段に同時に表示可能としている。しかしながら、この情報表示方法は、医用画像を表示している装置が薬事法の承認を受けて製造された装置でない場合に、オペレータの注意を喚起することはできない。
【特許文献１】特開２０００−１７５９１２号公報（第１頁、図２）
【発明の開示】
【発明が解決しようとする課題】
【０００８】
そこで、上記の点に鑑み、本発明は、医用画像を表示している装置が薬事法の承認を受けて製造された装置でない場合に、オペレータの注意を喚起することができる医用画像表示方法及び医用画像配信方法、医用画像表示プログラム及び医用画像配信プログラム、並びに、医用画像サーバを提供することを目的とする。
【課題を解決するための手段】
【０００９】
上記課題を解決するため、本発明に係る医用画像表示方法は、医用画像データに基づいて医用画像を表示する端末装置において用いられる医用画像表示方法であって、オペレータが端末装置を操作することにより医用画像の閲覧を要求した際に、当該端末装置に関する情報を取得するステップ（ａ）と、ステップ（ａ）において取得された属性情報に基づいて、当該端末装置が薬事法の承認を受けて製造された装置であるか否かの判定を行うステップ（ｂ）と、ステップ（ｂ）において当該端末装置が薬事法の承認を受けて製造された装置でないと判定された場合に、オペレータの注意を喚起するための情報を医用画像と共に当該端末装置の表示部に表示するステップ（ｃ）とを具備する。
【００１０】
また、本発明に係る医用画像配信方法は、医用画像データを蓄積して端末装置からの要求に応じて医用画像データを配信する医用画像サーバにおいて用いられる医用画像配信方法であって、端末装置から医用画像データの配信を要求された際に、予め画像サーバに登録されている複数の端末装置に関する情報の中から当該端末装置に関する情報を検索するステップ（ａ）と、ステップ（ａ）において検索された属性情報に基づいて、当該端末装置が薬事法の承認を受けて製造された装置であるか否かの判定を行うステップ（ｂ）と、ステップ（ｂ）における判定結果に従って、当該端末装置から要求された医用画像データの内容を変更して配信するステップ（ｃ）とを具備する。
【００１１】
本発明に係る医用画像表示プログラムは、医用画像データに基づいて医用画像を表示する端末装置において用いられる医用画像表示プログラムであって、オペレータが端末装置を操作することにより医用画像の閲覧を要求した際に、当該端末装置に関する情報を取得する手順（ａ）と、手順（ａ）において取得された属性情報に基づいて、当該端末装置が薬事法の承認を受けて製造された装置であるか否かの判定を行う手順（ｂ）と、手順（ｂ）において当該端末装置が薬事法の承認を受けて製造された装置でないと判定された場合に、オペレータの注意を喚起するための情報を医用画像と共に当該端末装置の表示部に表示する手順（ｃ）とをＣＰＵに実行させる。
【００１２】
また、本発明に係る医用画像配信プログラムは、医用画像データを蓄積して端末装置からの要求に応じて医用画像データを配信する医用画像サーバにおいて用いられる医用画像配信プログラムであって、端末装置から医用画像データの配信を要求された際に、予め画像サーバに登録されている複数の端末装置に関する情報の中から当該端末装置に関する情報を検索する手順（ａ）と、手順（ａ）において検索された属性情報に基づいて、当該端末装置が薬事法の承認を受けて製造された装置であるか否かの判定を行う手順（ｂ）と、手順（ｂ）における判定結果に従って、当該端末装置から要求された医用画像データの内容を変更して配信する手順（ｃ）とをＣＰＵに実行させる。
【００１３】
本発明に係る医用画像サーバは、医用画像データを蓄積して端末装置からの要求に応じて医用画像データを配信する医用画像サーバであって、複数の端末装置に関する情報を登録する登録手段と、端末装置から医用画像データの配信を要求された際に、登録手段によって登録されている複数の端末装置に関する情報の中から当該端末装置に関する情報を検索し、検索された属性情報に基づいて、当該端末装置が薬事法の承認を受けて製造された装置であるか否かの判定を行う検索手段と、検索手段による判定結果に従って、当該端末装置から要求された医用画像データの内容を変更して配信する画像配信手段とを具備する。
【発明の効果】
【００１４】
本発明によれば、端末装置に関する情報を所得し、その情報に基づいて、当該端末装置が薬事法の承認を受けて製造された装置であるか否かの判定を行うことにより、当該端末装置が薬事法の承認を受けて製造された装置でないと判定された場合にオペレータの注意を喚起するための情報を医用画像と共に当該端末装置の表示部に表示することができる。
【発明を実施するための最良の形態】
【００１５】
以下、本発明を実施するための最良の形態について、図面を参照しながら詳しく説明する。なお、同一の構成要素には同一の参照番号を付して、説明を省略する。
図１は、本発明の一実施形態に係る医用画像表示方法を用いる各種の装置を含む医療情報システムの構成を示すブロック図である。図１に示すように、この医療情報システムにおいては、患者の受付の際に用いられる受付端末１と、医師が診断及び治療の内容を入力するために用いる医師用端末２と、電子カルテを作成し管理する電子カルテ管理端末３と、被検者に放射線を照射して撮影を行うことにより記録シートに放射線画像を記録する医用画像撮影装置４と、記録シートに記録されている放射線画像等の情報を光電的に読み取って画像データを生成する医用画像読取装置５と、医用画像読取装置５から画像データを受信して各種の処理を施す医用画像処理装置６と、医用画像処理装置６において処理が施された画像データを記録する画像サーバ７と、医療用診断画像及びその付帯情報を表示又は出力する医用画像表示装置８と、撮影された放射線画像に関する撮影レポートを作成するために用いられるレポート作成端末９と、撮影レポートを記録するレポートサーバ１０と、撮影レポートを表示又は出力するレポート確認端末１１とが、ＬＡＮ（ローカルエリアネットワーク）を介して互いに接続されている。
【００１６】
医用画像処理装置６と医用画像表示装置８とは、医用画像を表示するための高解像度のモニタを有しており、薬事法の承認を受けて製造される。一方、受付端末１と、医師用端末２と、電子カルテ管理端末３と、レポート作成端末９と、レポート確認端末１１とは、特に医用画像を表示することは考慮されていないので、比較的低解像度のモニタを有しており、薬事法の承認を受けずに製造される。しかしながら、これらの端末においても、画像サーバ７にアクセスして医用画像データを入手することにより、医用画像を表示することが可能である。
【００１７】
本発明の一実施形態に係る医用画像表示方法及び医用画像表示プログラムは、各種の端末装置において医用画像を表示する際に用いられるものであり、医用画像を表示している装置が、薬事法の承認を受けて製造された装置（以下、「医用機器」という）であるか、薬事法の承認を受けずに製造された装置（以下、「非医用機器」という）であるかについての情報を与える。以下においては、本実施形態に係る医用画像表示方法が医用画像表示装置８において用いられる場合を例にとって説明する。
【００１８】
図２は、本発明の一実施形態に係る医用画像表示方法を用いる医用画像表示装置の構成を示すブロック図である。医用画像表示装置８は、各種の命令等を入力するために用いられるキーボードやマウス等の入力部８１と、医用画像を表示するための高解像度のＣＲＴ又はＬＣＤディスプレイ等のモニタを有する表示部８２と、インタフェース８９を介して入力部８１及び表示部８２が接続された中央演算装置（以下、ＣＰＵという）８３と、メモリ８４と、ハードディスク８５と、ハードディスク８５におけるデータの書込み及び読出しを制御するハードディスク制御部８６と、ＤＶＤ（ディジタル・バーサタイル・ディスク）に対してデータの書込み及び読出しを行うＤＶＤドライバ８７と、ＬＡＮに接続するためのネットワークインタフェース８８とを含んでいる。これらの部分８３〜８８は、バスラインを介して相互に接続されている。
【００１９】
ハードディスク８５には、ＣＰＵ８３に動作を行わせるためのソフトウェア（医用画像表示プログラム）が記録されている。なお、ソフトウェアを記録する記録媒体としては、内蔵のハードディスク８５の他に、ＤＶＤ−ＲＯＭ、ＣＤ−ＲＯＭ、外付けハードディスク、フレキシブルディスク、ＭＯ、又は、ＭＴ等を用いることもできる。
【００２０】
次に、ＣＰＵ８３とソフトウェア（医用画像表示プログラム）とによって構成される機能ブロック８３ａ〜８３ｄについて説明する。
画像表示管理部８３ａは、オペレータが入力部８１を操作することにより医用画像の閲覧を要求した際に、例えば、図１に示す画像サーバ７から所望の医用画像データを受信すると共に、属性情報取得部８３ｂを制御して当該端末装置の属性情報を取得させる。
【００２１】
端末装置として用いられるコンピュータは、システムやアプリケーションソフトの設定データを格納するために、Ｗｉｎｄｏｗｓ（登録商標）を用いたシステムの場合には「レジストリ」と呼ばれるデータベースを有している。このレジストリは、端末装置内のハードディスク等の記録媒体に記録されている。本実施形態においては、端末装置に医用画像表示プログラムをインストールする際に、医用画像を表示するために必要な初期設定データや端末装置の属性情報がレジストリ内に格納される。ここで、属性情報とは、端末装置が医用機器であるか非医用機器であるかを識別するために用いられる情報であり、例えば、医用機器については、工場から出荷される際に、医用機器であることを識別するための属性情報がレジストリ内に設定される。
【００２２】
そこで、属性情報取得部８３ｂは、医用画像の閲覧要求があった際に、閲覧要求が入力された端末装置のレジストリから属性情報を取得し、取得された属性情報に基づいて、当該端末装置が医用機器であるか非医用機器であるかの判定を行う。
【００２３】
信号処理部８３ｃは、当該端末装置が非医用機器であると判定された場合に、オペレータの注意を喚起するための情報を医用画像と共に表示するための信号処理を行う。例えば、図１に示す電子カルテ管理端末３において医用画像表示プログラムが実行された場合には、当該端末装置が非医用機器であると判定されるので、信号処理部８３ｃは、オペレータの注意を喚起するための文字情報を医用画像に対してオーバレイ表示するための表示データを生成する。
【００２４】
ここで、オーバレイ表示とは、複数の画像について複数のスクリーンを使い分けることにより、パターンやカラーを重ね合わせる表示方法のことをいう。オペレータの注意を喚起するための情報としては、例えば、「参照用」や「×」等の文字情報を表示するようにしても良い。
【００２５】
表示制御部８３ｄは、当該端末装置が医用機器であると判定された場合には、画像表示管理部８３ａによって受信された医用画像データに基づいて医用画像を表示部８２に表示し、当該端末装置が非医用機器であると判定された場合には、信号処理部８３ｃによって生成された表示データに基づいて医用画像を表示部８２に表示する。
【００２６】
図３は、医用機器における医用画像の表示例を示す図である。図１に示す医用画像表示装置８や医用画像処理装置６等の医用機器において医用画像を表示する場合には、画像表示管理部８３ａによって受信された医用画像データに基づいて、図３に示すような医用画像が表示される。
【００２７】
図４は、非医用機器における医用画像の表示例を示す図である。図１に示す電子カルテ管理端末３やレポート作成端末９等の非医用機器において医用画像を表示する場合には、信号処理部８３ｃによって生成された表示データに基づいて、図４に示すように「参照用」という文字情報が挿入された医用画像が表示される。
【００２８】
次に、本発明の一実施形態に係る医用画像表示方法について、図１〜図５を参照しながら説明する。図５は、本発明の一実施形態に係る医用画像表示方法を示すフローチャートである。
【００２９】
オペレータが端末装置（この例においては、医用画像表示装置８）の操作部８１を操作することにより命令を入力した際に、ステップＳ１１において、画像表示管理部８３ａが、入力された命令が医用画像の閲覧要求であるか否かを確認する。入力された命令が医用画像の閲覧要求である場合には、画像表示管理部８３ａが画像サーバ等から所望の医用画像データを受信すると共に、ステップＳ１２において、属性情報取得部８３ｂが、当該端末装置の属性情報を取得する。一方、入力された命令が医用画像の閲覧要求でない場合には、画像表示に関する処理を終了する。
【００３０】
ステップＳ１３において、属性情報取得部８３ｂが、取得された属性情報に基づいて、当該端末装置が医用機器であるか非医用機器であるかを判定すると共に、判定結果を信号処理部８３ｃ及び表示制御部８３ｄに受け渡す。当該端末装置が医用機器であると判定された場合には、処理がステップＳ１５に移行し、当該端末装置が非医用機器であると判定された場合には、処理がステップＳ１４に移行する。
【００３１】
ステップＳ１４において、信号処理部８３ｃが、オペレータの注意を喚起するための情報を医用画像にオーバレイした表示データを生成する。ステップＳ１５において、表示制御部８３ｄが、当該端末装置が医用機器であるか非医用機器であるかに基づいて医用画像を表示部８２に表示する。当該端末装置が医用機器である場合には、図３に示すような医用画像が表示され、当該端末装置が非医用機器である場合には、図４に示すように、オペレータの注意を喚起するための情報をオーバレイした医用画像が表示される。
【００３２】
これにより、特に医用画像を表示することが考慮されていない端末装置において医用画像を閲覧する場合には、オペレータの注意を喚起するための情報が表示されるので、オペレータは、表示された医用画像が診断のために十分ではない参照用の医用画像であることを認識することができる。
【００３３】
次に、本発明の一実施形態に係る医用画像配信方法について説明する。
図６は、本発明の一実施形態に係る医用画像配信方法を用いる画像サーバの構成を示すブロック図である。画像サーバ７は、各種の命令等を入力するために用いられるキーボードやマウス等の入力部７１と、操作用の画像等を表示するＣＲＴ又はＬＣＤディスプレイ等の表示部７２と、インタフェース７８を介して入力部７１及び表示部７２が接続された中央演算装置（以下、ＣＰＵという）７３と、メモリ７４と、ハードディスク７５と、ハードディスク７５におけるデータの書込み及び読出しを制御するハードディスク制御部７６と、ＬＡＮに接続するためのネットワークインタフェース７７とを含んでいる。これらの部分７３〜７７は、バスラインを介して相互に接続されている。
【００３４】
次に、ＣＰＵ７３とソフトウェア（医用画像配信プログラム）とによって構成される機能ブロック７３ａ〜７３ｄについて説明する。
属性情報登録部７３ａは、ディジタル化された画像を管理するＰＡＣＳ等の画像管理システムを利用することにより医用画像を表示することが可能な各種の端末装置の属性情報を登録する。各種の端末装置の属性情報は、それぞれの端末装置のレジストリから読み出されて、画像サーバ７内のハードディスク７５等の記録媒体に記録される。あるいは、オペレータが、画像サーバ７の入力部７１を用いて、それぞれの端末装置の属性情報を入力して登録するようにしても良い。
【００３５】
属性情報検索部７３ｂは、端末装置から医用画像データの配信を要求された際に、属性情報登録部７３ａによって登録されている各種の端末装置の属性情報の中から、当該端末装置の属性情報を検索し、検索された属性情報に基づいて、当該端末装置が医用機器であるか非医用機器であるかの判定を行う。
【００３６】
信号処理部７３ｃは、配信を要求された画像データをハードディスク７５等の記録媒体から読み出して、当該端末装置が非医用機器であると判定された場合に、オペレータの注意を喚起するための情報を医用画像と共に表示するための信号処理を行う。例えば、図１に示す電子カルテ管理端末３から医用画像データの配信を要求された場合には、当該端末装置が非医用機器であると判定されるので、信号処理部７３ｃは、オペレータの注意を喚起するための文字情報を医用画像に挿入するように、記録媒体から読み出された医用画像データに対して信号処理を施す。
【００３７】
配信制御部７３ｄは、医用画像データの配信を要求した端末装置が医用機器であると判定された場合には、ハードディスク７５等の記録媒体から読み出された医用画像データを当該端末装置に配信し、当該端末装置が非医用機器であると判定された場合には、信号処理部７３ｃによって信号処理が施された表示データを当該端末装置に配信する。
【００３８】
次に、本発明の一実施形態に係る医用画像配信方法について、図６及び図７を参照しながら説明する。図７は、本発明の一実施形態に係る医用画像配信方法を示すフローチャートである。
【００３９】
端末装置からの要求が受信された際に、ステップＳ２１において、属性情報検索部７３ｂが、受信された要求が医用画像データの配信要求であるか否かを確認する。受信された要求が医用画像データの配信要求である場合には、ステップＳ２２において、属性情報検索部７３ｂが、予め画像サーバ７に登録されている各種の端末装置の属性情報の中から、医用画像データの配信要求を送信した端末装置の属性情報を検索すると共に、信号処理部７３ｃが、記録媒体に記録されている医用画像データを読み出す。一方、受信された要求が医用画像データの配信要求でない場合には、医用画像データの配信に関する処理を終了する。
【００４０】
ステップＳ２３において、属性情報検索部７３ｂが、検索された属性情報に基づいて、当該端末装置が医用機器であるか非医用機器であるかを判定すると共に、判定結果を信号処理部７３ｃ及び配信制御部７３ｄに受け渡す。当該端末装置が医用機器であると判定された場合には、処理がステップＳ２５に移行し、当該端末装置が非医用機器であると判定された場合には、処理がステップＳ２４に移行する。
【００４１】
ステップＳ２４において、信号処理部７３ｃが、オペレータの注意を喚起するための情報を医用画像に挿入した医用画像データを生成する。ステップＳ２５において、配信制御部７３ｄが、当該端末装置が医用機器であるか非医用機器であるかに基づいて、医用画像データを配信する。当該端末装置が医用機器である場合には、記録媒体から読み出された医用画像データが当該端末装置に配信され、当該端末装置が非医用機器である場合には、信号処理部７３ｃによって生成された医用画像データが当該端末装置に配信される。その結果、医用機器においては、図３に示すような医用画像が表示され、非医用機器においては、図４に示すように、オペレータの注意を喚起するための情報が挿入された医用画像が表示される。
【００４２】
以上の実施形態においては、端末装置のレジストリ内に格納されている属性情報を用いて当該端末装置が医用機器であるか非医用機器であるかの判定を行っているが、製造メーカが異なる複数の端末装置を用いるような場合には、端末装置の型番や仕様等の情報、又は、ＩＰアドレスに基づいて、当該端末装置が医用機器であるか非医用機器であるかの判定を行うようにしても良い。あるいは、医療画像機器のためのネットワーク規格であるＤＩＣＯＭ（Digital Imaging and Communications in Medicine）に規定されているタグ情報に基づいて、当該端末装置が医用機器であるか非医用機器であるかの判定を行うようにしても良い。
【産業上の利用可能性】
【００４３】
本発明は、医用画像データを蓄積する画像サーバ、及び、画像サーバから配信される医用画像データに基づいて医用画像を表示することが可能な各種の端末装置において利用可能である。
【図面の簡単な説明】
【００４４】
【図１】本発明の一実施形態に係る医用画像表示方法を用いる各種の装置を含む医療情報システムの構成を示すブロック図である。
【図２】本発明の一実施形態に係る医用画像表示方法を用いる医用画像表示装置の構成を示すブロック図である。
【図３】医用機器における医用画像の表示例を示す図である。
【図４】非医用機器における医用画像の表示例を示す図である。
【図５】本発明の一実施形態に係る医用画像表示方法を示すフローチャートである。
【図６】本発明の一実施形態に係る医用画像配信方法を用いる画像サーバの構成を示すブロック図である。
【図７】本発明の一実施形態に係る医用画像配信方法を示すフローチャートである。
【符号の説明】
【００４５】
１  受付端末
２  医師用端末
３  電子カルテ管理端末
４  医用画像撮影装置
５  医用画像読取装置
６  医用画像処理装置
７  画像サーバ
８  医用画像表示装置
９  レポート作成端末
１０  レポートサーバ
１１  レポート確認端末
７１、８１  入力部
７２、８２  表示部
７３、８３  ＣＰＵ
７３ａ  属性情報登録部
７３ｂ  属性情報検索部
７３ｃ  信号処理部
７３ｄ  配信制御部
７４、８４  メモリ
７５、８５  ハードディスク
７６、８６  ハードディスク制御部
７７、８８  ネットワークインタフェース
７８、８９  インタフェース
８３ａ  画像表示管理部
８３ｂ  属性情報取得部
８３ｃ  信号処理部
８３ｄ  表示制御部
８７  ＤＶＤドライバ
【図１】
2006320444.tif 000003
【図２】
2006320444.tif 000004
【図５】
2006320444.tif 000005
【図６】
2006320444.tif 000006
【図７】
2006320444.tif 000007
【図３】
2006320444.tif 000008
【図４】
2006320444.tif 000009